(57)【要約】【課題】鉢部とスタンド部とを連結したり連結を解いたり自由にできる植木鉢において、連結構造の確実性を向上させ、更に花木の病害対策、排水対策、防虫対策などが十分にできるようにする。【解決手段】鉢部２とスタンド部３とを有し、鉢部２の底部に排水孔８，１５が設けられていると共に、スタンド部３の首部７上端には開口９が設けられ、鉢部２の底部外面には下方へ膨出する位置決めガイド１２が設けられ、全位置決めガイド１２の外周側の面を協同させるかたちでスタンド部３の上端開口９と嵌合可能で、鉢部２とスタンド部３とを相対的逆方向へねじる動作で互いのフック部１０，１１を係合離脱可能で、鉢部２はその内面形状が上記排水孔８，１５の配置領域を最低位とする凹形に形成されている。【選択図】図１
0003109007.tif 000002
【実用新案登録請求の範囲】
【請求項１】
植栽用凹部（２ａ）が設けられた鉢部（２）と、この鉢部（２）よりも細く形成された首部（７）を介して鉢部（２）の底部外面に連結可能とされた鉢部（２）の高位保持用スタンド部（３）とを有する植木鉢において、鉢部（２）の底部にはスタンド部（３）が連結されたときにスタンド部（３）の首部（７）上端で隠れる範囲内で鉢内外に連通する排水孔（８）（１５）が設けられていると共に、スタンド部（３）の首部（７）上端には開口（９）が設けられてこの開口（９）がスタンド部（３）下端まで貫通形成され、上記鉢部（２）の底部外面には下方へ膨出する位置決めガイド（１２）が各独立して少なくとも２個設けられ、これら全ての位置決めガイド（１２）の外周側の面を協同させるかたちでスタンド部（３）の上端開口（９）の内周面と嵌合可能になっており、これら位置決めガイド（１２）の外周部に鉢部（２）側のフック部（１０）が設けられていると共に、スタンド部（３）の上端開口（９）の内周面から開口（９）内へ張り出して当該スタンド部（３）側のフック部（１１）が設けられて、鉢部（２）とスタンド部（３）とを相対的逆方向へねじる動作で互いのフック部（１０，１１）を係合離脱可能とされており、鉢部（２）はその内面形状が上記排水孔（８）（１５）の配置領域を最低位とする凹形に形成されていることを特徴とする植木鉢。
【請求項２】
前記位置決めガイド（１２）の下面と、これら各位置決めガイド（１２）が向き合っている内側面との二面にわたりＬ字状に繋がる開口部を形成させつつ鉢内外に連通する排水孔（１５）が設けられていることを特徴とする請求項１記載の植木鉢。
【請求項３】
前記鉢部（２）の各位置決めガイド（１２）は、それらの各下面が面一に揃えられてそれら全体で鉢部（２）の載置を可能にしてあることを特徴とする請求項１又は請求項２記載の植木鉢。
【請求項４】
前記鉢部（２）の底部外面には、スタンド部（３）が連結される部位を取り囲む配置で、その周方向に互いに所定間隔をおいて下方突出する複数のリブ（２０）が設けられていることを特徴とする請求項１乃至請求項３のいずれかに記載の植木鉢。
【請求項５】
前記鉢部（２）の底部外面には、スタンド部（３）が連結される部位を取り囲む配置で、その周方向に互いに所定間隔をおいて下方へ突出するリブ（２０）が設けられており、これらリブ（２０）は前記位置決めガイド（１２）よりも下方へ突出する高さを有すると共に、それらの下端部が面一に揃えられてそれら全体で鉢部（２）の載置を可能にしてあることを特徴とする請求項１乃至請求項３のいずれかに記載の植木鉢。
【請求項６】
前記リブ（２０）は、少なくとも位置決めガイド（１２）の外周部を外側から視角遮断する配置で設けられていることを特徴とする請求項４又は請求項５記載の植木鉢。
【請求項７】
前記リブ（２０）は、鉢部（２）とスタンド部（３）とを連結したときにスタンド部（３）の上端部外周面に均等隙間を保持させる配置で設けられることで、鉢部（２）とスタンド部（３）との両者を互いのフック部（１０，１１）を係合する位置へ誘導可能になっていることを特徴とする請求項４乃至請求項６のいずれかに記載の植木鉢。
【考案の詳細な説明】
【技術分野】
【０００１】
本考案は、植木鉢に関するものである。
【背景技術】
【０００２】
植栽用凹部が設けられた鉢部と、この鉢部を支えて鉢部を高位（数センチ〜数十センチ程度）で保持するスタンド部とを有した植木鉢は周知であるが、この種の植木鉢の多くは、スタンド部の上端部が鉢部の大きさに比して顕著に細く形成されて植木鉢全体としての首部を形成し、アクセント（メリハリ）を強調させるようなデザインとされている。
そして、このようなスタンド部の上端部が首部とされた植木鉢のなかには、鉢部とスタンド部とを連結した状態で使用できるだけでなく、使用者側の所望するところに応じて鉢部とスタンド部との連結を解き、鉢部だけを単体で使用したり、或いは別形状をしたスタンド部を鉢部と連結してイメージチェンジを図ったりできるようにしたものが知られている（例えば、特許文献１や２等参照）。
【０００３】
この種の植木鉢では、鉢部とスタンド部とを連結して使用しているときに、例えば設置場所を移動させる必要等から鉢部だけに手を引っかけて持ち上げることによって、スタンド部が思惑に反して脱落してしまうのを防止する必要があった。
そこで従来は、鉢部の底部中央部に対し、鉢部の内側へ向けて凸台状に突出する部分（以下、「凸台状部分」と言う）を形成させ、これによって凸台状部分の裏側（要するに鉢部の底部外面側）に凹部を形成させ、スタンド部の首部上端をこの凹部へ嵌合させるという構造を採用するのが普通であった。すなわち、このような嵌合構造を採用することで摩擦面積を増大させ、鉢部とスタンド部との連結強度を高めるものである。この嵌合構造に加え、適宜の係合構造を併用させることもあった。
【０００４】
なお、鉢部底部の凸台状部分には、その上面に対して排水用の孔が設けられていることもある（上記のうち特許文献２）。
【特許文献１】実開平２−３４１４３号公報
【特許文献２】特許第３５１３２１７号公報
【考案の開示】
【考案が解決しようとする課題】
【０００５】
鉢部底部に凸台状部分を形成させれば、それだけ鉢内容積が狭くなり、植栽した花木の根の広がりを邪魔するようになることは明らかである。
のみならず、この凸台状部分の上面に排水孔を設けた場合、凸台状部分まわりでその上面より低くなっている部分では排水ができず、ここで水が溜まって花木の根腐れやその他の病害をもたらす原因となったり、溜まった水が腐って異臭を放ったりすることがあった。
また、凸台状部分の上面に設けられた排水孔に対し、防虫網やナメクジ侵入阻止カバー（杯を裏返したような皿）などを被せようとする場合、凸台状部分が邪魔となり、防虫網に皺や撓みが生じたり、ナメクジ侵入阻止カバーが傾いたり位置ズレしたりすることを誘発し、結果、防虫対策効果やナメクジ侵入阻止効果が十分に得られなくなるおそれがあった。
【０００６】
本考案は、上記事情に鑑みてなされたものであって、鉢部とスタンド部とを連結したり連結を解いたり自由にできる植木鉢において、連結構造の確実性を向上させ、更に花木の病害対策、排水対策、防虫対策などが十分にできるようにした植木鉢を提供することを目的とする。
【課題を解決するための手段】
【０００７】
前記目的を達成するために、本考案は次の手段を講じた。
即ち、本考案に係る植木鉢は、植栽用凹部が設けられた鉢部と、この鉢部よりも細く形成された首部を介して鉢部の底部外面に連結可能とされた鉢部の高位保持用スタンド部とを有するものであって、鉢部の底部にはスタンド部が連結されたときにスタンド部の首部上端で隠れる範囲内で鉢内外に連通する排水孔が設けられていると共に、スタンド部の首部上端には開口が設けられて、この開口がスタンド部の下端まで貫通形成されている。
この構成を具備することで、鉢部とスタンド部とを連結した状態にあっては鉢部からの排水がスタンド部の外面へ漏洩することなく、鉢部の排水孔からスタンド部内へ目立たない状態で流下するという作用が得られる。
【０００８】
そして、上記鉢部の底部外面には、下方へ膨出する位置決めガイドが各独立して少なくとも２個設けられ、これら全ての位置決めガイドの外周側の面を協同させるかたちでスタンド部の上端開口の内周面と嵌合可能になっている。
また、これら位置決めガイドの外周部に鉢部側のフック部が設けられていると共に、スタンド部の上端開口の内周面から開口内へ張り出して当該スタンド部側のフック部が設けられて、鉢部とスタンド部とを相対的逆方向へねじる動作で互いのフック部を係合離脱可能とされている。
【０００９】
この構成を具備することで、鉢部とスタンド部との連結が強固になり、鉢部だけを持ち上げてもスタンド部が落下するようなことは防止できるといった作用が得られる。
また、鉢部は、その内面形状が上記排水孔の配置領域を最低位とする凹形に形成されている。
この構成を具備することで、鉢部内の余剰水は確実に、且つ全てが鉢部内の最低位となる部位に設けられた排水孔へと集められ、そして排水されることになり、植栽した花木の根腐れやその他の病害を防止することができるという作用が得られる。
【００１０】
しかも、排水孔のまわりに突出物（従来の凸台状部分に相当するもの）がないので、鉢部内へ防虫網やナメクジ侵入阻止カバーを設ける場合に、防虫網に皺や撓みが生じたり、ナメクジ侵入阻止カバーが傾いたり位置ズレしたりすることがなく、結果、防虫対策効果やナメクジ侵入阻止効果が十分に得られる。
なお、上記した排水孔は、位置決めガイドの下面と、これら各位置決めガイドが向き合っている内側面との二面にわたりＬ字状に繋がる開口部を形成させつつ鉢内外に連通させるように設けるのが好適である。
【００１１】
このようにすることで、排水性が良好となる。また、排水孔は鉢部をその外側から見ても見えないので、見栄えの悪化に繋がらないという利点もある。
鉢部の各位置決めガイドは、それらの各下面が面一に揃えられてそれら全体で鉢部の載置を可能にすればよい。
このようにすることで、鉢部とスタンド部との連結を解いて鉢部だけを使用するときに、その載置安定性が得られることになる。
鉢部の底部外面には、スタンド部が連結される部位を取り囲む配置で、その周方向に互いに所定間隔をおいて下方突出する複数のリブを設けることもできる。殊に、このリブは、位置決めガイドよりも下方へ突出する高さに形成するのが好適であり、この場合は、各リブの下端部を面一に揃えて、それら全体で鉢部を載置することもできる。
【００１２】
このようなリブは、位置決めガイドの外周部を外側から視角遮断する作用を生じさせることが可能であるばかりでなく、鉢部とスタンド部とを連結する際に、鉢部とスタンド部との両者を、互いのフック部を係合する位置へ誘導させるためのガイドとして利用できる利点がある。
このようにガイドとしての作用を得やすくするために、リブは、スタンド部の上端部外周面に均等隙間を保持させる配置で設けるのが好適である。
【考案の効果】
【００１３】
本考案に係る植木鉢は、鉢部とスタンド部とを連結したり連結を解いたり自由にできるものにおいて、連結構造が確実なものであり、そのうえで花木の病害対策、排水対策、防虫対策などが十分にできる。
【考案を実施するための最良の形態】
【００１４】
以下、本考案の実施の形態を、図面に基づき説明する。
図１乃至図９は、本考案に係る植木鉢１の第１実施形態を示している。この植木鉢１は鉢部２と、この鉢部２を高位（数センチ〜数十センチ程度）に保持できるようにしたスタンド部３とを有し、これら鉢部２とスタンド部３とは連結したりこの連結を解いたり（分離したり）が自由に行え、連結を解いたときには鉢部２をそれ単独で据え置きして使用できるようになったものである。
図１に示すように、鉢部２の内側には植栽用凹部２ａが形成されており、排水を良好にするための赤玉、軽石等の排水補助材や培養土などを投入できるようになっているが、鉢部２の内面形状として上方へ突出するような形成物は何もなく、底部中央の内面が最も低位とされており、もって植栽用凹部２ａ内を十分広く、花木の根の広がり等に有効活用できるようになっている。
【００１５】
これに対し、スタンド部３は、下部が載置安定性を確保する台座部５とされ、その上部に円錐台形状に上方ほど細くなるポスト部６が設けられている。このポスト部６の上端部を介して鉢部２の底部外面と連結可能とされており、この連結部分（上端部）は、鉢部２の大きさとは格段に細い首部７を形成するようになっている。
図２に示すように、鉢部２内において最も低位となる部位（即ち、上記した底部中央）には複数の排水孔８が設けられている。図３に示すように、図例では正方形開口を有した合計１０個の排水孔８が、鉢部２の中心まわりで円形配置されたものとしてある。
【００１６】
これら排水孔８が配設された領域は、スタンド部３における首部７上端の太さよりも狭い範囲に限定されており、鉢部２とスタンド部３とが連結された状態では、排水孔８はスタンド部３の首部７上端で隠れて外部からは見えない。
これに対し、スタンド部３の首部７上端には開口９が形成されており、またポスト部６や台座部５の内部も互いに連通した空洞とされており、結果、鉢部２の排水孔８から漏洩する水はスタンド部３の外面を伝ことなく、スタンド部３の内部を介して最も下端まで流下するようになっている。
【００１７】
鉢部２の底部外面と、スタンド部３の首部７上端部とには、それぞれ、互いの連結のためにフック部１０，１１が設けられている。また、これらフック部１０，１１を連結したとき、鉢部２とスタンド部３とがガタツキを起こすことのないように、鉢部２には位置決めガイド１２が設けられ、この位置決めガイド１２が、スタンド部３の首部７上端に設けられた開口９に嵌合するようになっている。
図３乃至図５に示すように、鉢部２の底部外面に設けられた位置決めガイド１２は、少なくとも２個（図例では２個）あり、それぞれが独立するかたち（即ち、各位置決めガイド１２が繋がっていない）で下方へ膨出している。
【００１８】
一つ一つの位置決めガイド１２は、長方形のブロック片を円弧形にカーブさせた様なかたちとなっており、鉢部２を下方から見た状態では、全部の位置決めガイド１２が円形配置とされている。このように円形配置とされた全ての位置決めガイド１２により、それらの外周側を仮想線で繋いで描かれる環状の面が、スタンド部３の上端開口９における内周面と当接するようになり、鉢部２とスタンド部３との連結間をガタツキのない嵌合状態に保持させる。
なお、これら位置決めガイド１２が円形配置とされている領域の外側に、更に同心円的に浅い溝状の環状凹部１３が設けられており、この環状凹部１３に対してスタンド部３の首部７上端が嵌合するようになっている。このため、ガタツキ防止効果が一層と向上し、更に鉢部２とスタンド部３との連結界面からの排水の漏洩は確実に防止されるものである。
【００１９】
各位置決めガイド１２の内部は空洞化されており、鉢部２の内部と連通している。そして、これら各位置決めガイド１２にも排水孔１５が設けられている。図例では各位置決めガイド１２ごとに２個ずつ、排水孔１５が設けられたものとした。
この位置決めガイド１２に設けられた排水孔１５は、各位置決めガイド１２の下面と、各位置決めガイド１２が向き合っている内側面との二面にわたりＬ字状に繋がる開口部を有している。従って開口面積が大きく、鉢部２内からの排水性が良好であるにもかかわらず、この排水孔１５は鉢部２をその外側から見ても見えず、見栄えの悪化に繋がらない。
【００２０】
このような位置決めガイド１２に対し、鉢部２側のフック部１０が一体的に設けられている。すなわち、位置決めガイド１２における円周方向の一端側には、その外周部（側壁）の一部を鉤型に切り欠いて開口した部分があり、この部分が、鉢部２の底部外面で下方へＬ字状に突出した突起物を形成するようになっている。このＬ字状突起部分がフック部１０を形成しているものである。
なお、このフック部１０における内側の上面（鉢部２の内部を向く側の面）には、鉢部２の半径方向に沿って筋状に突出する係止突起１６が設けられている。またこのフック部１０が設けられた部位を補強するために、位置決めガイド１２の内周側となる部分にバックアップ用の補強リブ１７が設けられている。
【００２１】
鉢部２の底部外面には、更に、スタンド部３が連結される部位を取り囲む配置でリブ２０が設けられている。このリブ２０は円弧形にカーブした衝立（ついたて）のようになっており、各位置決めガイド１２に１対１対応となるように分断され、配設されている。また、位置決めガイド１２に比べ、それよりも下方へ突出する高さが大きく形成され、且つ、その突出高さ、即ち、各リブ２０の下端部は互いに面一となるように揃えられている。
従って、鉢部２をスタンド部３との連結を解いて単独で使用する場合、これらリブ２０が鉢部２を安定して載置するための脚として作用すると共に、同時にこれらリブ２０は、鉢部２の外側から見たときに位置決めガイド１２を視角遮断するためのカバー的な作用をも奏することになる。
【００２２】
このようなリブ２０は、鉢部２とスタンド部３とを連結した状態のとき、スタンド部３の首部７上端に対してその外周面に均等隙間を保持させるように配置されている。そのため、鉢部２とスタンド部３とを連結する際には、このリブ２０が、鉢部２の底部外面に設けられたフック部１０や位置決めガイド１２に対してスタンド部３の首部７上端を適正な連結位置へ導くためのガイドとして作用する。
すなわち、鉢部２とスタンド部３とを連結する際に、いちいち、鉢部２を裏返しにしてフック部１０や位置決めガイド１２を目で確認するようなことは、必ずしも必要ではなくなる。
【００２３】
一方、図６乃至図８に示すように、スタンド部３において、首部７上端に設けられた開口９には、その内周面から開口９内へ張り出すようにしてフック部１１が設けられている。各フック部１１の配置及び形成数は、鉢部２に設けられたフック部１０のそれらと対応している。
また開口９の内周面には、各フック部１１よりもやや低い（深い）位置から開口９内へ張り出す内鍔２３が設けられている。この内鍔２３は各フック部１１の相互間に対応して設けられる配置となっており、各フック部１１とは補強リブ２５，２６を介して連結されている。また、このうち一方の補強リブ２６から下方へ延びるようにして補強リブ２７が設けられ、これらによって各フック部１１及び内鍔２３が補強されている。
【００２４】
この内鍔２３は、鉢部２とスタンド部３とを連結するに際し、鉢部２の底部外面とスタンド部３の首部７上端とを当接させて鉢部２の位置決めガイド１２がスタンド部３の開口９内に嵌まるようになるとき（図９参照）、この位置決めガイド１２にぶつかって邪魔にならない位置とされている。好ましくは、位置決めガイド１２の下面に丁度当接して、その嵌り程度を制限できるようにしておけばよい。
各フック部１１の形状や大きさは、言うまでもなく、鉢部２に設けられたフック部１０と係合可能なものとして形成されている。これらフック部１０，１１の係合は、鉢部２の底部外面とスタンド部３の首部７上端とを当接させた状態で、これら両者を相対的逆方向へねじる動作で行う。図３乃至図５には、このとき鉢部２をねじる方向を矢符Ｘで示しており、図６乃至図８には、このときスタンド部３をねじる方向を矢符Ｙで示している。
【００２５】
なお、このフック部１１にも、その下面には開口９の径方向に沿って筋状に突出する係止突起２４が設けられている。この係止突起２４は、フック部１０，１１同士が係合したとき、鉢部２側のフック部１０に設けられた係止突起１６と係合可能とされ、この係合によりフック部１０，１１の係合が簡単には外れないように対処したものである。勿論、意欲をもってフック部１０，１１の係合を解除（離脱）させようとする場合には、係止突起１６，２４の係合も簡単に外れるようになっている。
以上の説明から明らかなように、本考案に係る植木鉢１では、鉢部２とスタンド部３とを連結して鉢部２を高位保持させた使用方法と、鉢部２とスタンド部３との連結を解いて（離脱させて）鉢部２だけを単独で据え置く使用方法との２通りの使いかたができる。
【００２６】
そして、鉢部２内の余剰水は、鉢部２内の最も低位に位置付けられた排水孔８，１５へと確実に、且つ全てが集められ、鉢外へと排水されることになる。そのため、鉢部２に植栽した花木の根腐れやその他の病害を防止することができるという作用が得られる。
なお、鉢部２とスタンド部３とを連結して使用する場合も、鉢部２の排水孔８，１５はスタンド部３内を流下するようになり、スタンド部３の外面に漏洩することがないので、見栄えの悪化もない。
しかも、鉢部２の内側において、排水孔８のまわりに突出物（従来の凸台状部分に相当するもの）は何もないので、鉢部２内へ防虫網やナメクジ侵入阻止カバーを設ける場合に、防虫網に皺や撓みが生じたり、ナメクジ侵入阻止カバーが傾いたりすることがなく、結果、防虫対策効果やナメクジ侵入阻止効果が十分に得られる。
【００２７】
また、鉢部２とスタンド部３とを連結したり離脱させたりするに際しては、鉢部２の底部外面に設けられたリブ２０がスタンド３の首部７上端をうまく所定部位へと導き、いちいち目で確認しながら作業をする必要がないものとなっているので、簡単である。このことは、ホームセンターや花屋等、この植木鉢１を大量に扱う場所では両者の連結作業の高効率化を招来し、特に有益となる。
鉢部２とスタンド部３との連結は、鉢部２側の位置決めガイド１２とスタンド部３の上端開口９との嵌合を伴い、そのうえで両者のフック部１０，１１による係合が行われるものであるので、強固で確実な状態に保持される。係止突起１６，２４を設けた場合なら、なお一層、強固で確実となる。
【００２８】
そのため、例えば鉢部２だけを持ち上げるようなことをしても、スタンド部３が落下するといったことはない。
図１０は、本考案に係る植木鉢１の第２実施形態を示している。この第２実施形態の植木鉢１は、鉢部２の容量が大型とされ、背が大きくなる花木や根のはる範囲が広がる花木類を植えるのに適している。また、スタンド部３はポスト部６の背が低く、鉢部２の重心を下げてその安定性を高めてある。また鉢部２が大型化されたことに対する外観的なバランスを整わせる意味でも、ポスト部６の背が低い点が有益となっている。
【００２９】
なお、スタンド部３の首部７には、鎧状に垂れ下がるデザインを立体的に付与させてある。このようなデザインは適宜変更可能であり、また付与させないものであっても勿論可能である。
その他の構成や作用効果などは第１実施形態と略同様であるので、ここでの詳説は省略する。
ところで、本考案は、上記した各実施形態に限定されるものではなく、実施の形態に応じて適宜変更可能である。
【００３０】
例えば、リブ２０は省略することもできる。この場合、鉢部２に設ける位置決めガイド１２の各下面を面一に揃えておき、これら位置決めガイド１２によって鉢部２の載置を可能にすればよい。
このようにすることで、鉢部２とスタンド部３との連結を解いて鉢部２だけを使用するときに、その載置安定性が得られることになる。
鉢部２やスタンド部３の形成材料、大きさ、形状、色、デザインなどは何ら限定されるものではない。
【図面の簡単な説明】
【００３１】
【図１】本考案に係る植木鉢の第１実施形態を示した側面図である。
【図２】第１実施形態の植木鉢において鉢部とスタンド部との連結を解いた状態を斜め下方より示した分解斜視図である。
【図３】図２のＡ−Ａ線矢視図である。
【図４】位置決めガイド、フック部、リブ等を示した斜視図である。
【図５】位置決めガイド、フック部、リブ等を図４とは別の視角から示した斜視図である。
【図６】図２のＢ−Ｂ線矢視図である。
【図７】図６に対応する斜視図である。
【図８】図７のＣ−Ｃ線矢視図である。
【図９】鉢部とスタンド部との連結時におけるフック部同士の係合状態を示した側断面図である。
【図１０】本考案に係る植木鉢の第２実施形態を示した側面図である。
【符号の説明】
【００３２】
１  植木鉢
２  鉢部
２ａ  植栽用凹部
３  スタンド部
７  首部
８  排水孔
９  開口
１０  鉢部側のフック部
１１  スタンド部側のフック部
１２  位置決めガイド
１５  排水孔
２０  リブ
【図１】
0003109007.tif 000003
【図２】
0003109007.tif 000004
【図３】
0003109007.tif 000005
【図４】
0003109007.tif 000006
【図５】
0003109007.tif 000007
【図６】
0003109007.tif 000008
【図７】
0003109007.tif 000009
【図８】
0003109007.tif 000010
【図９】
0003109007.tif 000011
【図１０】
0003109007.tif 000012